(57)【特許請求の範囲】
【請求項１】
発光素子を表面側に配列し裏面側には前記発光素子と導通接続する配線基板を突き出して設けた表示器を、パネルディスプレイの本体側のマウントプレートの前面に突き当て、前記マウントプレートの裏面側から回転ネジを通して前記表示器を前記マウントプレートに取り付ける取付け構造であって、前記表示器の裏面の上下に、一対の脚部と前記脚部どうしを繋ぐグリップとから構成され、かつ固定された着脱作業用の把手形状とした一対の操作アームを前記配線基板よりも長い突き出し長さとして設け、前記マウントプレートの取付け口の開口形状と前記一対の操作アームとの間に、前記表示器が下側配置の操作アームを取付け口の下端の開口縁に突き当てて前記マウントプレートに対して前方側に傾いたとき上側配置の前記操作アームが前記取付け口の上端の開口縁に係合可能な関係を持たせ、前記操作アームと開口縁との係合によって前記表示器をマウントプレート側に拘束可能としてなるパネルディスプレイにおける表示器の取付け構造。
【請求項２】
前記表示器の大きさと、前記マウントプレートの開口の大きさとの間に、前記表示器を或る特定の姿勢としたときに前記開口を通して抜き差し可能な関係を持たせてなる請求項１記載のパネルディスプレイにおける表示器の取付け構造。
【発明の詳細な説明】
【０００１】
【発明の属する技術分野】
本発明は、たとえばＬＥＤランプやチップＬＥＤ等の発光素子を二次元的に一様に多数個配列したパネルディスプレイに係り、特にマウントプレートに対する表示器の取付け及び取り外しが簡単に行えるようにした表示器の取付け構造に関する。
【０００２】
【従来の技術】
発光ダイオード（以下、「ＬＥＤ」と記す）を用いた画像ディスプレイは、たとえば屋外の広告や交通の表示のための大型のものから、各種の信号機や自動車等のインディケータ及びテレビジョンの分野まで広がっている。
【０００３】
このような画像形成用のパネルディスプレイは、たとえばＲ，Ｇ，ＢのＬＥＤの組み合わせを単位とするドットを二次元的にＬＥＤ表示器の前面に集合配列し、このＬＥＤ表示器をパネルディスプレイのフレームのマウントプレートに固定するというのがその基本的な構成である。
【０００４】
図６はＬＥＤ表示器のマウントプレートへの取付け構造を示す側面断面図である。
【０００５】
図６において、パネルディスプレイ用のＬＥＤ表示器５１はたとえばその正面形状を正方形や長方形とし、前面にＲ，Ｇ，ＢのＬＥＤ５２によるドットを画素として多数配列するとともに、裏面にこれらのＬＥＤ５２に電気的に導通させた配線基板５３を取り付けたものである。一方、パネルディスプレイのフレーム（図示せず）の前面に固定されたマウントプレート５４は、メンテナンスの際に配線基板５３をこのマウントプレート５４の裏面側から作業できるように、配線基板５３を差し込める大きさの取付け口５４ａを開けたものである。
【０００６】
ＬＥＤ表示器５１のマウントプレート５４への固定作業は、同図の（ａ）のようにマウントプレート５４の前方で位置決めし、同図の（ｂ）に示すように配線基板５３を取付け口５４ａに差し込むと同時にＬＥＤ表示器５１の裏面に複数箇所設けた位置決めピン５１ａをマウントプレート５４に開けた通し孔５４ｄに差し通す。そして、ビス５５をマウントプレート５４に開けた複数のビス孔５４ｂからこれらのビス孔５４ｂに合わせてＬＥＤ表示器５１の裏面に埋設したインサートナット５４ｃにねじ込むことによって、ＬＥＤ表示器５１はマウントプレート５４に固定される。すなわち、図示の従来例はＬＥＤ表示器５１をマウントプレート５４の前面側から組み込んで位置決めし、マウントプレート５４の裏面側からビス５５によって固定する構成としたものである。
【０００７】
なお、このような取付け構造の他にも、ＬＥＤ表示器５１をマウントプレート５４の前面側からだけの作業で着脱操作できるようにしたものもある。しかしながら、大型のパネルディスプレイの場合では、配線基板５３に接続するための回線の全てがマウントプレート５４の裏面側に配線されるので、前面側だけの操作ではこの回線についての作業が実質的にできない。したがって、前面側からの着脱ができるような構成は、比較的小型のディスプレイのみに限られる。
【０００８】
【発明が解決しようとする課題】
大型画面のパネルディスプレイでは、マウントプレート５４が上下左右に多数配列され、作業者の背丈を越える場合が殆どである。このため、予めパネルディスプレイのフレームに固定配置されたマウントプレート５４のそれぞれにＬＥＤ表示器５１を固定していく作業では、マウントプレート５４の周りに足場を組んで前面側と裏面側とで二人の作業者を待機させることが必要となる。すなわち、前面側の作業者がＬＥＤ表示器５１の配線基板５３を取付け口５４ａに差し込んだ状態に手で保持し、裏面側の作業者がビス５５をねじ込む作業要領となる。
【０００９】
また、ＬＥＤ表示器５１の交換作業の場合でも、同様に二人の作業者が必要である。そして、ビス５５を緩めたときにＬＥＤ表示器５１が落下する恐れがあるので、マウントプレート５４の前面に足場を組んで別の作業者がＬＥＤ表示器５１を受け取る作業となる。これは、ＬＥＤ表示器５１の裏面には配線基板５３があるだけで、これを作業者が手で触れてしまうと破損しやすく、裏面側の作業者はＬＥＤ表示器５１を掴むことができないことが一つの理由である。
【００１０】
また、ＬＥＤ表示器５１の裏面に配線基板５３が突き出たままであると、この配線基板５３が損傷しないように保管したり現場で取り扱う必要がある。たとえば、配線基板５３を上向きの姿勢として配列保管したり現場で仮置きすれば、配線基板５３の損傷はない。しかし、積み重ねるようにすると配線基板５３の上に別のＬＥＤ表示器５１が載るので、配線基板５３の裏面を傷つけることになる。したがって、保管や仮置き場所ではＬＥＤ表示器５１を一面に並べることになるので、広いスペースが必要となり実用面での問題が大きい。
【００１１】
これに対し、たとえばＬＥＤ表示器５１の裏面に配線基板５３よりも外側に突き出る突起やスペーサを複数設けたものが既に提案されている。このような突起やスペーサを備えるものでは、ＬＥＤ表示器５１を積み重ねるようにしても、配線基板５３との干渉がないためその保護が可能である。
【００１２】
しかしながら、これらの突起やスペーサは配線基板５３の保護を第１の目的としたものである。したがって、マウントプレート５４の表側及び裏側からの両方での作業が必要であることに変わりはなく、現場でのＬＥＤ表示器５１の仮置きの積み重ね保管はできるものの、パネルディスプレイへのＬＥＤ表示器５１の組立て及びメンテナンスの作業性の向上には至らない。
【００１３】
このように、従来のパネルディスプレイでは、特に大画面の場合、マウントプレートへの着脱作業に二人の作業者を必要とするほか、突起やスペーサ等も配線基板保護用の機能のためにしか有効に利用されていない。
【００１４】
本発明において解決すべき課題は、配線基板の保護を図ると同時にマウントプレートに対する表示器の着脱も一人の作業者だけで簡単に作業できるＬＥＤ表示器を提供することにある。
【００１５】
【課題を解決するための手段】
本発明は、発光素子を表面側に配列し裏面側には前記発光素子と導通接続する配線基板を突き出して設けた表示器を、パネルディスプレイの本体側のマウントプレートの前面に突き当て、前記マウントプレートの裏面側から回転ネジを通して前記表示器を前記マウントプレートに取り付ける取付け構造であって、前記表示器の裏面の上下または左右の両端部の少なくともいずれか一方に、着脱作業用の把手形状とした一対の操作アームを前記配線基板よりも長い突き出し長さとして設け、前記マウントプレートの取付け口の開口形状と前記一対の操作アームとの間に、前記表示器が前記マウントプレートに対して傾いたとき前記操作アームが前記取付け口の開口縁に係合可能な関係を持たせ、前記操作アームと開口縁との係合によって前記表示器をマウントプレート側に拘束可能としてなることを特徴とする。
【００１６】
この構成では、マウントプレートの取付け口に操作アームを差し込んだままとしたときに表示器がその自重によって上端側が前に出るように傾いても、操作アームが取付け口の開口縁に係合して抜けることがなく、マウントプレートの前面側からの仮置きが可能となる。
【００１７】
【発明の実施の形態】
請求項１に記載の発明は、発光素子を表面側に配列し裏面側には前記発光素子と導通接続する配線基板を突き出して設けた表示器を、パネルディスプレイの本体側のマウントプレートの前面に突き当て、前記マウントプレートの裏面側から回転ネジを通して前記表示器を前記マウントプレートに取り付ける取付け構造であって、前記表示器の裏面の上下に、一対の脚部と前記脚部どうしを繋ぐグリップとから構成され、かつ固定された着脱作業用の把手形状とした一対の操作アームを前記配線基板よりも長い突き出し長さとして設け、前記マウントプレートの取付け口の開口形状と前記一対の操作アームとの間に、前記表示器が下側配置の操作アームを取付け口の下端の開口縁に突き当てて前記マウントプレートに対して前方側に傾いたとき上側配置の前記操作アームが前記取付け口の上端の開口縁に係合可能な関係を持たせ、前記操作アームと開口縁との係合によって前記表示器をマウントプレート側に拘束可能としてなるものであり、マウントプレートの取付け口に操作アームを差し込んだ後には表示器が傾いても取付け口から表示器が抜けることがないので、マウントプレートの前面側からの仮置きができ、一人の作業者でもこの仮置きの作業と裏面側からの回転ネジによる固定ができるという作用を有する。
【００１８】
請求項２に記載の発明は、前記表示器の大きさと、前記マウントプレートの開口の大きさとの間に、前記表示器を或る特定の姿勢としたときに前記開口を通して抜き差し可能な関係を持たせてなる請求項１記載のパネルディスプレイにおける表示器の取付け構造であり、表示器をその特定の姿勢にしさえすれば取付け口を通して出し入れできるので、操作アームを把手として活用することでマウントプレートの裏面側からだけの作業で済むという作用を有する。
【００１９】
以下に、本発明の実施の形態の具体例を図面を参照しながら説明する。
図１は本発明のパネルディスプレイに使用する表示器の背面斜視図、図２はマウントプレートとともに示す右側面断面図である。
【００２０】
図において、表示器１はその正面形状を正方形としたもので、その前面にはＲ，Ｇ，ＢのＬＥＤ２ａ，２ｂ，２ｃを１組として１画素としてのドットをマトリックス配列し、これらのドットの各行の上には陽光の差し込みを遮るためのバイザー３を一体に備えている。また、表示器１の裏面には、従来例と同様に各ドットのＬＥＤ２ａ，２ｂ，２ｃのそれぞれに導通する配線基板４を取り付けている。この配線基板４には、搭載している表示器１だけまたはその周りに配置される別の表示器も含めて画像データに基づく制御のための制御ＩＣ等（図示せず）が搭載され、パネルディスプレイ本体側の電気回路に導通接続される。
【００２１】
表示器１の裏面には、配線基板４の上下であってこれと干渉しない位置に一対の操作アーム５，６を設ける。これらの操作アーム５，６は、図２に示すように配線基板４よりも外に突き出る長さを持ち、表示器１の左右方向の両端部を除く部分に配置されている。すなわち、操作アーム５，６は、表示器１の裏面から突き出る一対の脚部５ａ，６ａと、これらの脚部５ａ，６ａどうしを繋ぐグリップ５ｂ，６ｂとから構成され、グリップ５ｂ，６ｂと表示器１の裏面との間に間隔を持たせることによって、これらのグリップ５ｂ，６ｂ部分を手で握れるようにしている。
【００２２】
なお、操作アーム５，６は表示器１の裏面に一体に形成したものや、別体としたものを表示器１に連結したものであればよい。また、その材質は金属板や樹脂であり、図２において上下方向の負荷に対して或る程度の曲げ強さを持つものであればよい。
【００２３】
また、表示器１の裏面には、配線基板４及び操作アーム５，６の領域の外に位置する部分に複数の位置決めピン１ａ及びインサートナット１ｂを設けるとともに、マウントプレート７の表面に着座してシールするためのパッキン１ｃを備える。
【００２４】
ＬＥＤ表示器の本体側に配列されるマウントプレート７は従来例と同様であり、図２に示すように１つの表示器１のそれぞれに対応して取付け口７ａを開けるとともに、その上端縁に沿う部分の２箇所に位置決めピン１ａに対応する通し孔７ｂを開け、インサートナット１ｂに整合する複数のビス孔７ｃをそれぞれ設けたものである。取付け口７ａは、配線基板４だけでなくその上下に位置している操作アーム５，６も含めて差し通せる正方形の開口としたものである。したがって、たとえば操作アーム５，６を配線基板４の左右に配列した場合でも取付け口７ａに通すことができ、また上下左右に４個の操作アームを設けたものでも受容できる。また、通し孔７ｂに位置決めピン１ａを差し込んだときに、ビス孔７ｃがインサートナット１ｂに整合し、マウントプレート７の裏面側から固定用のビス８をビス孔７ｃからインサートナット１ｂにねじ込むことによって表示器１をマウントプレート７に固定することができる。
【００２５】
図３はマウントプレート７への表示器１の組込み手順を示す右側面断面図である。
【００２６】
パネルディスプレイの本体側に固定されたマウントプレート７に対し、同図の（ａ）に示すように取付け口７ａの中に操作アーム５，６も含めて差し込めるような姿勢として表示器１を作業者が手に持ちながら取付け口７ａの中に組み込む。この組込みの後に作業者が手を離したときには、表示器１はその自重によって下がり、同図の（ｂ）に示すように下側配置の操作アーム６が取付け口７ａの下端の開口縁７ａ−１に突き当たってその動きが拘束される。一方、表示器１の上端側は自由端となっているので、その自重により操作アーム６と開口縁７ａ−１との突き当たり点を回動中心としてマウントプレート７の前方側に向けて倒れようとする。これに対して、表示器１の上端側の裏面に位置している操作アーム５は表示器１が斜め姿勢になるに従って取付け口７ａの上端の開口縁７ａ−２に近づき、ついには操作アーム５が開口縁７ａ−２に突き当たってその動きが拘束される。
【００２７】
以上により、マウントプレート７の前方から取付け口７ａに配線基板４を含めて操作アーム５，６を差し込んでしまえば、表示器１から手を離しても同図の（ｂ）のようにマウントプレート７から外れてしまうことはない。したがって、パネルディスプレイの本体の画面全体に配列したマウントプレート７の全てについてその前方から表示器１を取付け口７ａに差し込めば、同図の（ｂ）の状態に仮置きできる。
【００２８】
次いで、作業者はマウントプレート７の裏面に移動して取付け口７ａから突き出している２本の操作アーム５，６を手で掴んで同図の（ｃ）に示す矢印方向に引っ張る。これにより、マウントプレート７の前面にパッキン１ｃが突き当たる姿勢となって位置決めピン１ａが通し孔７ｂの中に嵌まり込み、同時にビス孔７ｃがインサートナット１ｂに整合する。そして、作業者が片手で操作アーム５，６のいずれか一方を手で保持しながら、ビス８をビス孔７ｃに通してインサートナット１ｂにねじ込めば、マウントプレート７に対して表示器１を固定することができる。
【００２９】
このように、マウントプレート７の前面から表示器１を装着して操作アーム５，６を利用して仮置きでき、マウントプレート７の裏面側からはビス８による固定作業が同様に操作アーム５，６を手で保持しながら行うことができる。したがって、作業者が一人で表示器１の仮置きとビス８による固定の作業をすることができ、従来のように二人の作業者を必要としない施工が可能となる。
【００３０】
更に、メンテナンスのときにマウントプレート７から表示器１を取り外すときでも、マウントプレート７の裏面側からの作業だけで済み、次の要領で行う。
【００３１】
まず、固定されている表示器１の操作アーム５，６のいずれか一方を手で掴んでおき、全てのビス８を抜いた後に、図４に示すように表示器１を取付け口７ａの対角線の方向となるように姿勢を変える。これにより、取付け口７ａの開口よりも正面形状が大きな表示器１であっても、操作アーム５，６を持ちながら表示器１を取付け口７ａから引き抜いてマウントプレート７の裏面側に取り出すことができる。そして、点検後に再び取り付けるときも、操作アーム５，６を掴んで逆の要領で作業すれば、ビス８によって表示器１をマウントプレート７に固定できる。
【００３２】
このように、表示器１の裏面に操作アーム５，６を備えることで、マウントプレート７の裏面側からだけの作業で表示器１の着脱作業をすることができ、作業が簡略化される。
【００３３】
更に、操作アーム５，６は配線基板４よりも長く突き出ているので、図５に示すように上下に積み重ねた保管ができる。図示の例では、上下の表示器１の姿勢を交互に変えたものであり、それぞれの間に樹脂等を利用した仕切りプレート９を差し挟んでいる。このように、複数の表示器１を積み重ねることができるので、工場での保管スペースや施工現場での仮置きスペースを小さくすることができ、作業者の作業動線も短くなるので作業性が向上する。そして、配線基板４には上下の表示器１が突き当たらないので、その損傷も免れる。
【００３４】
【発明の効果】
請求項１の発明では、表示器の操作アームをマウントプレートの前側から取付け口に差し込むことで表示器をマウントプレートに仮置きできるので、一人の作業者でもマウントプレートの裏面側に移動して回転ネジによる表示器の取付けや取り外しの作業ができ、従来の二人による作業に比べると格段に作業性が向上する。
【００３５】
請求項２の発明では、表示器をその特定の姿勢にすることで取付け口から抜き差しできるので、マウントプレートの裏面側からの作業だけで回転ネジによる固定や取り外しができ、更に作業性を向上させることができる。
【図面の簡単な説明】
【図１】本発明の発光ダイオードディスプレイに用いる表示器の背面斜視図
【図２】表示器の裏面の操作アームをマウントプレートの取付け口に差し込んだときの右側面断面図
【図３】マウントプレートへの表示器の組込み及び固定要領を順に示す右側面断面図
【図４】表示器を取付け口から抜くときの姿勢を示す図
【図５】操作アームを利用して表示器を積み重ねた状態を示す図
【図６】従来例の概略図
【符号の説明】
１  表示器
１ａ  位置決めピン
１ｂ  インサートナット
１ｃ  パッキン
２ａ，２ｂ，２ｃ  ＬＥＤ（発光ダイオード）
３  バイザー
４  配線基板
５，６  操作アーム
５ａ，６ａ  脚部
５ｂ，６ｂ  グリップ
７  マウントプレート
７ａ  取付け口
７ａ−１，７ａ−２  開口縁
７ｂ  通し孔
７ｃ  ビス孔
８  ビス
９  仕切りプレート
【図１】
0004178601.tif 000002
【図２】
0004178601.tif 000003
【図３】
0004178601.tif 000004
【図４】
0004178601.tif 000005
【図５】
0004178601.tif 000006
【図６】
0004178601.tif 000007